(57)【要約】【課題】  室内で犬を飼育する際に、好みに合わせて、犬小屋の外観上のデザインを変化でき、バリエーションのある犬小屋を提供する。【解決手段】  本体部１と階段４とを有する犬小屋１００、２００であって、犬小屋の本体部１の上部に屋上３を設け、階段４は本体部１の側面に着脱させ、また、塔階段７ａを有する塔部８を本体部１の側面に着脱させる。【選択図】        図２
0003107172.tif 000002
【実用新案登録請求の範囲】
【請求項１】
本体部と階段とを有する犬小屋であって、
前記犬小屋の本体部の上に屋上を設け、前記階段は本体部の側面に着脱されることを特徴とする犬小屋。
【請求項２】
請求項１に記載の犬小屋において、さらに塔階段を有する塔部を設け、前記塔部を前記本体部の側面に着脱させることを特徴とする犬小屋。
【考案の詳細な説明】
【技術分野】
【０００１】
本考案は、犬小屋に関し、特に、設置場所のスペースに合わせて、本体部の屋上に上るための階段を本体部に着脱し、さらに塔部を本体部の側面に着脱し、犬が本体部の屋上および塔屋上に登ることができる犬小屋に関するものである。
【背景技術】
【０００２】
一般的に、犬小屋は、小型犬用や大型犬用など、大小様々なサイズのものがあり、そのデザインも豊富である。室内において犬を飼育する際、犬の飼い主は、室内用の犬小屋を設置するか、柵などを利用して犬を飼育していた。
【０００３】
犬小屋に関するものとしては、例えば、特許文献１に示されるようなものが提案されている。
【特許文献１】特開平１１−２７６００５
【考案の開示】
【考案が解決しようとする課題】
【０００４】
しかしながら、室内用の犬小屋は、室外用の犬小屋に比べデザインや種類に限られている。そのため、犬の飼い主は、犬の飼育をする際に、好みに合った犬小屋を利用することは難しく、一度犬小屋を購入し、設置してしまうと、その後、飼い主の好みに合わせ、その犬小屋の外観上のデザインを変化させることはできなかった。さらに、犬小屋の設置スペースが室内において限られている場合などは、設置スペースに応じた犬小屋を設置しなければならず、犬の飼い主の好みに応じた犬小屋を利用することは特に難しい。また、好みに合った柵を購入し、それを利用して犬の飼育をする方法も考えられるが、犬の行動範囲が柵内に限られ、犬の運動が妨げられるという問題があった。
【０００５】
上述の課題を鑑み、本考案の目的は、室内で犬を飼育する際に、好みに合わせて、犬小屋の外観デザインを変化させ、バリエーションのある設置ができ、かつ、犬に運動をさせることができる犬小屋を提供するものである。
【課題を解決するための手段】
【０００６】
第１の考案は、本体部と階段とを有する犬小屋において、犬小屋の本体部の上に屋上を設け、前記階段は本体部の側面に着脱させることを特徴とする犬小屋である。
【０００７】
第２の考案は、請求項１に記載の犬小屋おいて、さらに塔階段を有する塔部を設け、前記本体部の側面に前記塔部を着脱させることを特徴とする犬小屋である。
【考案の効果】
【０００８】
本考案は、好みに合わせて、階段および塔を着脱することによって、犬小屋の外観上のデザインを変化させ、また、バリエーションのある犬小屋の設置ができる。
【考案を実施するための最良の形態】
【０００９】
以下、本考案の実施するための最良の形態について図面を参照しながら説明する。
第１の実施例
図１（ａ）は、本考案の第１の実施例に係る犬小屋の本体部を示す図である。犬小屋の本体部１は、本体部１の一方向に入口部２が設けられ、本体部１の上面に屋上３が設けられている。本体部１には、入口部２に近い側面に上下一対の窓１ａが設けられ、犬小屋のデザインの装飾的効果を高めている。入口部２は、犬を出入りさせる開口部２ａが設けられ、上方は鋭角状になっており、屋根を模して形成されている。屋上３には、屋上３を囲む屋上柵３ａが設けられている。屋上柵３ａは、凹部と凸部がほぼ等間隔で形成されている。また、屋上柵３ａは、犬を屋上３へ出入りさせる屋上出入部３ｂが設けられている。屋上出入部３ｂは、階段４および塔部８を着脱する隣接面として機能する。
【００１０】
図１（ｂ）は、本考案の第１の実施例に係る犬小屋の本体部に着脱する階段を示す図である。階段４は、下階段５ａ、踊場５および上階段６ａから構成される。犬は、階段４を利用し、床面から犬小屋の屋上へ登る。また、階段４は、犬が誤って落ちないように柵が形成され、さらに、柵の上面に凹部と凸部を形成することにより、装飾的効果も高めている。本実施例では、本体部１への隣接面には、柵は形成されていない。階段４および塔部８を設けたときに階段４および塔部８が本体部１に接する部分以外に柵を後で設けるようにしている。
【００１１】
ここで、本考案に係る第１の実施例について説明する。図２は、本考案に係る犬小屋の斜視図を示す図である。図２に示すように、犬小屋１００は、図１（ａ）に記載の本体部１の長手方向を図１（ｂ）に記載の階段４の長手方向と一致させ、設置するように構成される。この際、屋上柵３ｃを設けることにより、犬が屋上３から誤って落ちないようにしている。また、側面柵６ｃを設けることにより、上階段６ａから屋上３への犬の出入りを可能にしている。犬は、床面から下階段５ａを介し踊場５へ上る。そして、踊場５から上階段６ａを介し上階段出入部６ｂを介し、屋上３へ上る。階段の高さは、例えば、小さな犬ならば、５ｃｍ程度の高さというように、犬のサイズに合わせ、上り下りを可能とする高さであり、等間隔に形成される。
【００１２】
したがって、犬小屋１００は、犬に屋上部分を利用させることができ、犬は、犬小屋１００の屋上部分への上り下りをすることによって、または犬小屋１００の屋上スペースで運動を行うことができるという利点がある。
第２の実施例
図３は、本考案の第２の実施例に係る塔付犬小屋に着脱する塔部を示す図である。
【００１３】
塔部８は、塔階段７ａおよび塔屋上７によって構成される。犬は、屋上３から塔階段７ａおよび塔屋上出入部９を介し塔屋上７に至る。犬が塔階段を利用する際に、誤って落ちないように柵が形成され、さらに、柵の上面に凹部と凸部を形成することにより、装飾的効果も高めている。塔屋上柵８ａは、犬が塔屋上７から誤って落ちないようにしている。塔屋上出入部９と塔階段出入部９ｂには、犬が出入りするために柵は形成されていない。
【００１４】
次に、本考案に係る第２の実施例について説明する。図５は、本考案の第２の実施例に係る塔付犬小屋の使用形態図である。図６は、本考案の第２の実施例に係る塔付犬小屋の平面図である。図５に示すように、塔付犬小屋２００は、図１（ａ）の本体部１の長手方向に、図４（ａ）に示す塔部８の塔階段出入部および図４（ｂ）に示す階段４の上階段出入部６ｂを隣接させ着脱するように取り付ける。この際、階段４に設けられた上階段出入部６ｂと、塔部８に設けられた塔階段出入部９ｂとを、犬小屋本体１に設けられた屋上出入部３ｂに接合させる。また、屋上柵３ｄを設けることにより、犬が屋上３から誤って落ちないようにしている。犬は、図６に示すように、床面から下階段５ａを介し踊場５へ上る。そして、踊場５から上階段６ａおよび上階段出入部６ｂを介して屋上３へ上る。そして、塔階段出入部９ｂ、塔階段７ａおよび塔屋上出入部９を介し塔屋上７に上る。
【００１５】
したがって、塔付犬小屋２００は、犬に本体部１の屋上および塔屋上７を利用させることができる。犬は、犬小屋の屋上３への上り下りのみでなく、塔屋上７への上り下りもでき、多くの運動を行うことができるという利点がある。
【図面の簡単な説明】
【００１６】
【図１】（ａ）は、本考案の実施例に係る犬小屋の本体部を示す図である。（ｂ）は、本考案の実施例に係る犬小屋の本体部に着脱する階段を示す図である。
【図２】本考案の第１の実施例に係る犬小屋の斜視図を示す図である。
【図３】本考案の第２の実施例に係る塔付犬小屋の本体部に着脱する塔部を示す図である。
【図４】（ａ）は、第３図の塔部を別の方角から見た状態を示す図である。（ｂ）は、本考案の第２の実施例に係る塔付犬小屋に着脱する階段を示す図である。
【図５】本考案の第２の実施例に係る塔付犬小屋の斜視図を示す図である。
【図６】本考案の第２の実施例に係る塔階犬小屋の平面図である。
【符号の説明】
【００１７】
１  本体部
１ａ  窓
２  入口部
２ａ  開口部
３  屋上
３ａ  屋上柵
３ｂ  屋上出入部
３ｃ  屋上柵
３ｄ  屋上柵
４  階段４
５  踊場５
５ａ  下階段
６ａ  上階段
６ｂ  上階段出入部
６ｃ  側面柵
７  塔屋上
７ａ  塔階段
８  塔部
８ａ  塔屋上柵
９  塔屋上出入部
９ｂ  塔階段出入部
【図１】
0003107172.tif 000003
【図２】
0003107172.tif 000004
【図３】
0003107172.tif 000005
【図４】
0003107172.tif 000006
【図５】
0003107172.tif 000007
【図６】
0003107172.tif 000008